(57)【要約】【課題】何れの撮影方式の医用画像を表示しても、共に表示するダイアログボックスの画像と医用画像とを明確に区別する縁取りをつける技術を提供する。【解決手段】各種の撮影方式に対応した縁取りの各配色情報を記憶しておき、表示する前記医用画像の撮影方式に応じた配色情報が示す色でダイアログボックス画像を縁取る。これにより、ダイアログボックス画像と医用画像とが、視覚上、明確に差別化できるため、医用画像の操作をしているのか、ダイアログボックス画像内のアイコン画像を操作しているのかを明確に判断することができ、集中力を欠くことがなく、作業効率が向上する。【選択図】図１
2009136505.tif 000002
【特許請求の範囲】
【請求項１】
表示手段を有し、各種の撮影方式の何れかで撮影された医用画像を表示させるとともに、操作アイコンを配置したダイアログボックス画像を画面上の各位置に移動可能に表示させる画像表示装置であって、
前記各種の撮影方式に対応した縁取りの各配色情報を記憶する記憶手段と、
表示する前記医用画像の撮影方式に応じた前記配色情報が示す色で前記ダイアログボックス画像を縁取り、前記表示手段に表示させる表示制御手段と、
を備えること、
を特徴とする画像表示装置。
【請求項２】
前記表示制御手段は、撮影方式の選択操作に基づき、前記撮影方式に応じた前記配色情報を前記記憶手段から取得すること、
を特徴とする請求項１記載の画像表示装置。
【請求項３】
各種画像診断装置とネットワークを介して接続され、
前記表示制御手段は、前記医用画像を前記ネットワークを介して送信してきた画像診断装置の撮影方式に基づき、前記撮影方式に応じた前記配色情報を前記記憶手段から取得すること、
を特徴とする請求項１記載の画像表示装置。
【請求項４】
前記医用画像は、撮影した画像診断装置の種類を識別するモダリティ情報を付帯し、
前記表示制御手段は、前記モダリティ情報に基づき、前記撮影方式に応じた前記配色情報を前記記憶手段から取得すること、
を特徴とする請求項１記載の画像表示装置。
【請求項５】
前記医用画像の撮影方式は、超音波画像、Ｘ線ＣＴ画像、Ｘ線画像、ＭＲＩ画像、又は核医学画像の撮影方式であること、
を特徴とする請求項１記載の画像表示装置。
【請求項６】
前記表示制御手段は、
前記ダイアログボックス画像と前記医用画像の重なり領域を検出し、
前記ダイアログボックス画像の縁の前記重なり領域と重なる部分を更に異なる色で縁取ること、
を特徴とする請求項１記載の画像表示装置。
【請求項７】
前記表示制御手段は、
複数種類の階調値を示す変更値情報を予め有し、
前記医用画像の重なり領域について、階調値ごとの画素数を積み上げたヒストグラムを作成し、
前記ヒストグラム上の前記画素数が最大である階調値との差が最も大きい前記階調値を示す変更値情報に基づき、この変更値情報が示す階調値を含む配色で、前記重なる部分を縁取ること、
を特徴とする請求項６記載の画像表示装置。
【請求項８】
前記表示制御手段は、
複数種類の階調値を示す変更値情報を予め有し、
前記表示制御手段は、
階調値ごとの画素数を積み上げたヒストグラムを、前記医用画像の重なり領域について作成し、
前記ヒストグラム上の前記画素数が最大である階調値との差が所定範囲内であり、かつその差が最も大きい前記階調値を示す変更値情報に基づき、この変更値情報が示す階調値を含む配色で、前記重なる部分を縁取ること、
を特徴とする請求項６記載の画像表示装置。
【請求項９】
被検体の医用画像を撮影する撮影手段を有し、この撮影手段で撮影された医用画像を表示するとともに、ダイアログボックス画像を画面上の各位置に移動可能に表示する画像診断装置であって、
前記ダイアログボックス画像と前記医用画像の重なり領域を検出し、前記ダイアログボックス画像の前記重なり領域の縁部分を縁取る表示制御手段と、
前記医用画像とともに、前記縁取りがされた前記ダイアログボックス画像を表示する表示手段と、
を備えること、
を特徴とする画像診断装置。
【請求項１０】
前記表示制御手段は、
複数種類の階調値を示す変更値情報を予め有し、
階調値ごとの画素数を積み上げたヒストグラムを、前記医用画像の重なり領域について作成し、
前記ヒストグラム上の前記画素数が最大である階調値との差が最も大きい前記階調値を示す変更値情報に基づき、この変更値情報が示す階調値を含む配色で、前記重なる部分を縁取ること、
を特徴とする請求項９記載の画像診断装置。
【請求項１１】
前記表示制御手段は、
複数種類の階調値を示す変更値情報を予め有し、
前記表示制御手段は、
階調値ごとの画素数を積み上げたヒストグラムを、前記医用画像の重なり領域について作成し、
前記ヒストグラム上の前記画素数が最大である階調値との差が所定範囲内であり、かつその差が最も大きい前記階調値を示す変更値情報に基づき、この変更値情報が示す階調値を含む配色で、前記重なる部分を縁取ること、
を特徴とする請求項９記載の画像診断装置。
【請求項１２】
表示手段を有し、各種の撮影方式の何れかで撮影された医用画像を表示させるとともに、操作アイコンを配置したダイアログボックス画像を画面上の各位置に移動可能に表示させるコンピュータを、
前記各種の撮影方式に対応した縁取りの各配色情報を記憶する記憶手段と、
表示する前記医用画像の撮影方式に応じた前記配色情報が示す色で前記ダイアログボックス画像を縁取り、前記表示手段に表示させる表示制御手段と、
して機能させること、
を特徴とするプログラム。
【請求項１３】
前記表示制御手段は、撮影方式の選択操作に基づき、前記撮影方式に応じた前記配色情報を前記記憶手段から取得すること、
を特徴とする請求項１２記載のプログラム。
【請求項１４】
前記コンピュータは、各種画像診断装置とネットワークを介して接続され、
前記表示制御手段は、前記医用画像を前記ネットワークを介して送信してきた画像診断装置の撮影方式に基づき、前記撮影方式に応じた前記配色情報を前記記憶手段から取得すること、
を特徴とする請求項１２記載のプログラム。
【請求項１５】
前記医用画像は、撮影した画像診断装置を識別するモダリティ情報を付帯し、
前記表示制御手段は、前記モダリティ情報に基づき、前記撮影方式に応じた前記配色情報を前記記憶手段から取得すること、
を特徴とする請求項１２記載の画像表示プログラム。
【請求項１６】
前記医用画像の撮影方式は、超音波画像、Ｘ線ＣＴ画像、Ｘ線画像、ＭＲＩ画像、又は核医学画像の撮影方式であること、
を特徴とする請求項１２記載のプログラム。
【請求項１７】
前記表示制御手段は、
前記ダイアログボックス画像と前記医用画像の重なり領域を検出し、
前記ダイアログボックス画像の前記重なり領域の縁部分を更に異なる色で縁取ること、
を特徴とする請求項１２記載のプログラム。
【請求項１８】
前記表示制御手段は、
複数種類の階調値を示す変更値情報を予め有し、
階調値ごとの画素数を積み上げたヒストグラムを、前記医用画像の重なり領域について作成し、
前記ヒストグラム上の前記画素数が最大である階調値との差が最も大きい前記階調値を示す変更値情報に基づき、この変更値情報が示す階調値を含む配色で、前記重なる部分を縁取ること、
を特徴とする請求項１７記載のプログラム。
【請求項１９】
前記表示制御手段は、
複数種類の階調値を示す変更値情報を予め有し、
前記表示制御手段は、
階調値ごとの画素数を積み上げたヒストグラムを、前記医用画像の重なり領域について作成し、
前記ヒストグラム上の前記画素数が最大である階調値との差が所定範囲内であり、かつその差が最も大きい前記階調値を示す変更値情報に基づき、この変更値情報が示す階調値を含む配色で、前記重なる部分を縁取ること、
を特徴とする請求項１７記載のプログラム。
【発明の詳細な説明】
【技術分野】
【０００１】
この発明は、医用画像とともに各種アイコンを有するダイアログボックス画像を配置した画面を表示する画像表示技術に関する。
【背景技術】
【０００２】
医療現場では、Ｘ線ＣＴ装置及び超音波診断装置等の各種画像診断装置や、ＰＡＣＳ、ＨＩＳ、ＲＩＳ、及び電子カルテシステム等の各種画像表示装置が配置されている。これら各機器は、液晶ディスプレイやＣＲＴディスプレイ等の表示部を有し、撮影した被検体の医用画像を配置した画面を表示する。
【０００３】
この画像診断装置や画像表示装置の画面には、表示している医用画像の拡大、縮小、又は回転、さらには医用画像に対するアノテーションの付加、医用画像内へのＲＯＩ設定、又は設定されたＲＯＩの解析等の各種操作を受付ける操作ボタンがアイコン画像形式で配置される。このアイコン画像は、ダイアログボックスと呼ばれる領域に配置される。アイコン画像を搭載したダイアログボックスの画像は、利便性の向上の観点から浮動表示され、画面内における表示位置が移動自在となっている。
【０００４】
操作者は、このダイアログボックスの画像を所望の位置に表示させ、アイコン画像を押下することで機能を呼び出した後、医用画像上をマウス操作することで当該機能の詳細操作を実施する。このような操作において、ダイアログボックスの画像と医用画像とを重ねて表示させたとき、ダイアログボックスの画像と医用画像との境界が明確でないために、どちらの画像に対して操作しているのか判別しづらいことがあった。
【０００５】
そこで、従来より、サムネイル画像や、所定のアイコン画像や、ウィンドウなどに対して固定的な縁取りをつける技術が提示されている（例えば、「特許文献１」参照）。
【０００６】
この従来技術では、どのような医用画像が表示されていても、予め定めた一の配色で縁取りを行うものである。近年、医用画像を撮影する各種の撮影方式が提示されており、医用画像の色合いは、この撮影方式に応じて異なる場合が多い。
医用画像の撮影方式としては、超音波画像の撮影方式、即ち超音波診断装置による超音波の送受波に基づく撮影や、Ｘ線ＣＴ画像の撮影方式、即ちＸ線ＣＴ装置による被検体回りにＸ線を曝射することに基づく撮影や、Ｘ線画像の撮影方式、即ちＸ線診断装置による被検体の一方からＸ線を曝射することに基づく撮影、ＭＲＩ画像の撮影方式、即ち磁気共鳴画像診断装置による被検体内で発生した磁気共鳴信号に基づく撮影、及び核医学画像の撮影方式、即ち核医学診断装置による放射性同位元素から放射されるガンマ線を検出することに基づく撮影等が挙げられる。
【０００７】
すると、予め定めた一の配色で縁取りを行う技術では、一の撮影方式の医用画像とダイアログボックスの画像とが重なったときには、縁取りの色と医用画像の色合いとに明確に差がつき、ダイアログボックスの画像と医用画像の境界が明確になるが、他の撮影方式の医用画像とダイアログボックスの画像とが重なったときには、縁取りの色と医用画像の色合いとに明確な差がつかないといった状況が生じる場合がある。
【０００８】
即ち、従来の固定的な縁取りを行う技術では、各種の撮影方式の医用画像が存在する近年では、ダイアログボックスの画像と医用画像との境界を明確にすることが必ずしも実現されてはいなかった。
【０００９】
【特許文献１】特開２００２−７２９９１号公報
【発明の開示】
【発明が解決しようとする課題】
【００１０】
この発明は、上述のような問題点に鑑みてなされたものであり、その目的とするところは、何れの撮影方式の医用画像を表示しても、共に表示するダイアログボックスの画像と医用画像とを明確に区別する縁取りをつける技術を提供するものである。
【課題を解決するための手段】
【００１１】
上記課題を解決するために、請求項１記載の本発明に係る画像表示装置は、表示手段を有し、各種の撮影方式の何れかで撮影された医用画像を表示させるとともに、操作アイコンを配置したダイアログボックス画像を画面上の各位置に移動可能に表示させる画像表示装置であって、前記各種の撮影方式に対応した縁取りの各配色情報を記憶する記憶手段と、表示する前記医用画像の撮影方式に応じた前記配色情報が示す色で前記ダイアログボックス画像を縁取り、前記表示手段に表示させる表示制御手段と、を備えること、を特徴とする。
【００１２】
前記表示制御手段は、前記ダイアログボックス画像と前記医用画像の重なり領域を検出し、前記ダイアログボックス画像の縁の前記重なり領域と重なる部分を更に異なる色で縁取るようにしてもよい（請求項６記載の発明に相当）。
【００１３】
また、上記課題を解決するために、請求項９記載の本発明に係る画像診断装置は、被検体の医用画像を撮影する撮影手段を有し、この撮影手段で撮影された医用画像を表示するとともに、ダイアログボックス画像を画面上の各位置に移動可能に表示する画像診断装置であって、前記ダイアログボックス画像と前記医用画像の重なり領域を検出し、前記ダイアログボックス画像の前記重なり領域の重なり部分を更に異なる色で縁取る表示制御手段と、前記医用画像とともに、前記縁取りがされた前記ダイアログボックス画像を画面上の各位置に移動可能に表示する表示手段と、を備えること、を特徴とする。
【００１４】
また、上記課題を解決するために、請求項１２記載の本発明に係る画像表示プログラムは、表示手段を有し、各種の撮影方式の何れかで撮影された医用画像を表示させるとともに、操作アイコンを配置したダイアログボックス画像を画面上の各位置に移動可能に表示させるコンピュータを、前記各種の撮影方式に対応した縁取りの各配色情報を記憶する記憶手段と、表示する前記医用画像の撮影方式に応じた前記配色情報が示す色で前記ダイアログボックス画像を縁取り、前記表示手段に表示させる表示制御手段と、して機能させること、を特徴とする。
【００１５】
前記表示制御手段は、前記ダイアログボックス画像と前記医用画像の重なり領域を検出し、前記ダイアログボックス画像の前記重なり領域の重なり部分を更に異なる色で縁取るようにしてもよい（請求項１７記載の発明に相当）。
【発明の効果】
【００１６】
請求項１及び１２に係る本発明によれば、医用画像は、撮影方式によって特有の色合いを有するが、どの撮影方式の医用画像を表示させても、ダイアログボックス画像と医用画像とが、視覚上、明確に差別化できる。従って、医用画像の操作をしているのか、ダイアログボックス画像内のアイコン画像を操作しているのかを明確に判断することができ、集中力を欠くことがなく、作業効率が向上する。
【００１７】
請求項６、９、及び１７に係る本発明によれば、ダイアログボックス画像の縁のうち、医用画像と重なる部分については、その重なり領域の色合いとは異なる色で更に縁取りがなされるため、医用画像の重なり領域の色合いが本来の撮影方式に応じた色合いと変わった場合であっても、ダイアログボックス画像と医用画像とが区別できる。従って、医用画像の操作をしているのか、ダイアログボックス画像内のアイコン画像を操作しているのかが更に明確に判断することができ、集中力を欠くことがなく、作業効率が向上する。
【発明を実施するための最良の形態】
【００１８】
以下、本発明に係る医用画像とともに各種アイコンを有するダイアログボックス画像を配置した画面を表示する画像表示技術の好適な実施形態について、図面を参照しながら具体的に説明する。
【００１９】
（第１の実施形態）
図１は、第１の実施形態に係る画像表示装置１の構成を示すブロック図である。図２は、この画像表示装置１が表示する画面を示す模式図である。
【００２０】
画像表示装置１は、病院内のＰＡＣＳやＨＩＳやＲＩＳ等のネットワークに接続されて、サーバから受信した医用画像１１０とダイアログボックス画像１２０を画面１００に表示する。ダイアログボックス画像１２０は、表示した医用画像１１０に対する加工や画面操作の指示を入力するためのアイコン画像１２１を搭載した画像である。
【００２１】
図１に示すように、この画像表示装置１は、表示部２と操作部３と表示制御部４とを備える。表示部２は、液晶ディスプレイやＣＲＴディスプレイである。操作部３は、キーボードやマウスやトラックボールである。表示制御部４は、所謂コンピュータで構成される。即ち、表示制御部４は、ＨＤＤ等の外部記憶装置に制御プログラムを予め記憶しており、この制御プログラムをＲＡＭ等のワークメモリに適宜展開して、ＣＰＵ等のプロフェッサで解読及び命令の実行を行う。表示制御部４は、このハードウェアによる情報処理によって、表示部２に医用画像１１０を配置した画面１００を表示させる。
【００２２】
図２に示すように、表示制御部４は、医用画像１１０とダイアログボックス画像１２０を配置した画面１００を作成し、表示部２に出力することで、表示部２にこの画面１００を表示させる。ダイアログボックス画像１２０は、表示した医用画像１１０に対する加工や画面操作の指示を入力するためのアイコン画像１２１を配置し、操作部３の操作に応じて配置個所が自在となった浮動表示ボックスである。このダイアログボックス画像１２０の縁１２２は、表示されている医用画像１１０の色合いとは明確な差を有する配色で縁取りがされる。
【００２３】
この表示制御部４は、医用画像記憶部５と部品格納部６と画面作成部７と縁配色ライブラリ８とを有する。医用画像記憶部５と縁配色ライブラリ８は、主に外部記憶装置を含み構成される。画面作成部７は、主にプロフェッサを含み構成される。部品格納部６は、主にプロフェッサと外部記憶装置とを含み構成される。
【００２４】
医用画像記憶部５には、医用画像１１０が記憶されている。部品格納部６は、ダイアログボックス情報記憶部６１とアイコン画像記憶部６２と縁配色情報記憶部６３とを有する。
【００２５】
ダイアログボックス情報記憶部６１には、ダイアログボックス情報が記憶されている。ダイアログボックス情報は、医用画像１１０とともに画面に配置されるダイアログボックス画像１２０となる領域の幅及び高さを示す情報である。アイコン画像記憶部６２には、ダイアログボックス画像１２０上に配置される各種のアイコン画像１２１が記憶されている。
【００２６】
縁配色情報記憶部６３には、このダイアログボックス画像１２０を縁取る色を示す縁配色情報８０（図３に示す縁配色情報８０の何れか）が記憶される。この縁配色情報８０は、Ｒ（レッド）Ｇ（グリーン）Ｂ（ブルー）各色の階調値を示すデータである。
【００２７】
尚、このダイアログボックス情報記憶部６１とアイコン画像記憶部６２と縁配色情報記憶部６３は、不揮発性の記憶装置によって構成される。即ち、一度格納された情報は、更新されるまでは格納され続ける。
【００２８】
画面作成部７は、医用画像記憶部５と部品格納部６とから、画面１００に配置する部品又は配置の情報となる医用画像１１０、ダイアログボックス情報、及びアイコン画像１２１とを読み出して、画面１００を作成する。画面１００の作成では、ダイアログボックス情報が示す幅及び高さを有する領域にアイコン画像１２１を配置することで、ダイアログボックス画像１２０を生成する。そして、医用画像１１０とダイアログボックス画像１２０を、その配置位領域の基準を示す基準情報等によって予め定めたデフォルト領域に配する。
【００２９】
操作部３の操作によって、画面上に表示しているカーソルがダイアログボックス画像１２０を配置している領域内に入り、その領域内を始点としてドラッグアンドドロップ操作がなされると、画面作成部７は、ダイアログボックス画像１２０の基準情報に、ドラッグアンドドロップ操作で移動されたベクトルを加算して、新たな基準情報を算出し、この基準情報が示す座標位置を基準としてダイアログボックス情報が示す拡がり範囲にダイアログボックス画像１２０を移動させた画面を作成し、表示部２に出力する。
【００３０】
また、画面作成部７は、縁取り処理部７１を有している。この縁取り処理部７１は、部品格納部６の縁配色情報記憶部６３に縁配色情報８０が記憶されていると、この縁配色情報８０を読み出し、ダイアログボックス画像１２０の縁１２２を縁取る。この縁取り処理部７１は、縁取り処理として、ダイアログボックス画像１２０が存在している領域の基準点を示す基準情報が表す座標Ｄを一つの角とし、ダイアログボックス情報が示す幅及び高さを有する略四角形状の枠を縁配色情報８０が示す色で塗り潰す。枠の太さは、予め縁取り処理部７１によって記憶されており、その枠の太さに対応する画素分を縁配色情報８０が示す色で塗り潰す。
【００３１】
部品格納部６は、ダイアログボックス情報記憶部６１とアイコン画像記憶部６２と縁配色情報記憶部６３の他、縁配色設定部６４を有する。この縁配色設定部６４は、主にプロフェッサを含み構成され、縁配色ライブラリ８から一の縁配色情報８０を選択し、縁配色情報記憶部６３に記憶させておくことで、ダイアログボックス画像１２０の縁１２２を縁取る色を設定する。即ち、画面作成部７の縁取り処理部７１は、縁配色ライブラリ８から縁配色設定部６４が選択した一の縁配色情報８０を読み出して、ダイアログボックス画像１２０を縁取る。
【００３２】
図３及び図４は、縁配色ライブラリ８を示す模式図である。図３は、縁配色情報８０を示すデータ構成図であり、図４は、縁配色情報テーブル８２を示すデータ構成図である。
【００３３】
縁配色ライブラリ８は、それぞれ一の撮影方式に対応した各種の縁配色情報８０と、縁配色情報テーブル８２とを記憶している。
【００３４】
縁配色ライブラリ８に記憶されている各種の縁配色情報８０は、画像表示装置１が表示する医用画像１１０の各種撮影方式に対応している。それぞれの縁配色情報８０は、対応させている撮影方式によって特有に有する医用画像１１０の色と明確な差を有する縁取りの色を定義している。
【００３５】
縁配色情報テーブル８２には、縁配色ライブラリ８に記憶されている各種の縁配色情報８０を識別する縁色ＩＤ８１と、縁色ＩＤ８１で識別される縁配色情報８０が適合している撮影方式を示す撮影方式情報８３とが対応付けられて記憶されている。
【００３６】
即ち、縁配色情報８０は、医用画像１１０が、Ｘ線ＣＴ画像、Ｘ線画像、超音波画像、ＭＲＩ画像、核医学画像等の何れの画像診断装置によって撮影された画像かに応じてそれぞれに対応して用意され、例えば、超音波画像に対応する縁配色情報８０は、超音波診断装置が作成した医用画像１１０の色合いと明確な差を有する色を定義している。そして、それぞれの縁配色情報８０は、縁配色情報テーブル８２によって適合する撮影方式が識別される。
【００３７】
縁配色設定部６４は、この縁配色情報テーブル８２を参照して、表示させる医用画像１１０の撮影方式を示す撮影方式情報８３に対応した縁配色情報８０を読み出し、縁配色情報記憶部６３に記憶させる。医用画像１１０の撮影方式は、操作部３を用いた撮影方式選択の入力、画像表示装置１に医用画像を送信している画像診断装置Ｍの機種を識別する装置情報、又は医用画像に付帯している撮影した画像診断装置Ｍの機種を示すモダリティ情報によって認識する。
【００３８】
まず、操作部３を用いた撮影方式選択の入力を受けることにより医用画像１１０の撮影方式に対応した縁配色情報８０でダイアログボックス画像１２０の縁１２２を縁取る第１の具体例の動作を図５に基づき説明する。図５は、第１の具体例に係る画像表示装置１の画面１００の表示の動作を示すフローチャートである。
【００３９】
まず、画面作成部７は、医用画像１１０を医用画像記憶部５から読み出し（Ｓ０１）、ダイアログボックス情報記憶部６１からダイアログボックス情報を読み出し（Ｓ０２）、アイコン画像記憶部６２からアイコン画像１２１を読み出す（Ｓ０３）。
【００４０】
また、縁配色情報記憶部６３に縁配色情報８０が記憶されていれば（Ｓ０４，Ｙｅｓ）、縁配色情報８０も読み出す（Ｓ０５）。縁配色情報記憶部６３は、ＨＤＤ等の不揮発性の記憶装置で構成されているため、一度、縁配色設定部６４によって一の縁配色情報８０が設定されていれば、情報が更新されるまではその縁配色情報８０が縁配色情報記憶部６３から読み出し可能となる。
【００４１】
そして、画面作成部７は、医用画像１１０と、ダイアログボックス情報に応じた領域にアイコン画像１２１を配置したダイアログボックス画像１２０を予め用意されているテンプレートに配置することで、画面１００を作成する（Ｓ０６）。さらに、縁取り処理部７１は、縁配色情報８０を読み出していれば（Ｓ０７，Ｙｅｓ）、ダイアログボックス画像１２０の縁１２２を縁配色情報８０が示す色で塗り潰す（Ｓ０８）。
【００４２】
画面作成部７は、画面１００の生成が終了すると、表示部２に出力することで、医用画像１１０とダイアログボックス画像１２０を配置した画面１００を表示部２に表示させる（Ｓ０９）。
【００４３】
表示部２に表示させた画面１００には、画面作成部７により図示しない縁取り処理のためのプルダウンメニュが表示されている。このプルダウンメニュには、超音波画像用の縁取り処理等の医用画像１１０の各種撮影方式が選択可能となっている。
【００４４】
操作者が操作部３を用いて医用画像１１０の撮影方式のうちの何れかを選択すると（Ｓ１０，Ｙｅｓ）、縁配色設定部６４は、縁配色ライブラリ８に記憶されている縁配色情報テーブル８２から、選択された撮影方式情報８３に対応する縁色ＩＤ８１を読み出し（Ｓ１１）、読み出した縁色ＩＤ８１に対応する縁配色情報８０を縁配色ライブラリ８から読み出す（Ｓ１２）。
【００４５】
そして、縁配色設定部６４は、縁配色ライブラリ８から読み出した縁配色情報８０を縁配色情報記憶部６３に記憶させる（Ｓ１３）。縁配色情報記憶部６３に縁配色情報８０が記憶されると、Ｓ０５に戻り、新たに記憶された縁配色情報８０が示す色で縁１２２を塗り潰す。
【００４６】
次に、画像表示装置１に医用画像を送信している画像診断装置Ｍの機種を識別する情報に応じて医用画像１１０の撮影方式に対応した縁配色情報８０でダイアログボックス画像１２０の縁１２２を縁取る第２の具体例を図６及び図７に基づき説明する。
【００４７】
図６は、第２の具体例に係る画像表示装置１のさらに詳細な構成を示すブロック図である。第１の具体例の画像表示装置１と同一構成又は同一機能には、同一符号を付し、その詳細な説明を省略する。
【００４８】
第２の具体例に係る画像表示装置１は、受信部９を有する。受信部９は、ネットワークインターフェースであり、ネットワークＮを介して画像診断装置Ｍと通信を確立し、画像診断装置Ｍから医用画像を受信する。
【００４９】
この受信部９は、ネットワークアダプタ、のケーブルを接続するためのコネクタと、ＬＡＮ規格に準拠したネットワークに接続するために必要となる回路を備えたＬＡＮカード、ＬＡＮボード、ＬＡＮアダプタ等の機器である。ネットワークＮは、電子データの伝送が可能な電子通信回線である。例えば電話回線網、ＩＳＤＮ、ＦＤＤＩ、専用線、移動体通信網、通信衛星回線、ＣＡＴＶ、ＬＡＮ等、又はこれらの複合が採用される。画像表示装置１と画像診断装置Ｍは、ネットワーク通信技術を利用して、相互にデータ通信が可能となっている。ネットワーク通信技術には、例えばＷＷＷ（ワールド・ワイド・ウェブ）、ＴＣＰ／ＩＰプロトコル、又はＤＩＣＯＭ（Digital Imaging and COmmunications in Medicine）プロトコル等が採用される。
【００５０】
受信部９により画像診断装置Ｍと接続が確立する際、受信部９は、画像診断装置Ｍの装置名、ＩＰアドレス、ステーションネーム、又はＡＥタイトル等の画像診断装置Ｍを識別する装置情報を受信する。撮影情報に対して一の撮影方式が定まるため、この撮影情報は、ともに受信した医用画像の撮影方式を特定する情報となる。
【００５１】
縁配色情報テーブル８２には、撮影方式情報８３として、撮影方式を一意に特定する装置情報が記憶され、この装置情報と縁色ＩＤ８１とが対応付けられている。縁配色設定部６４は、ともに受信した医用画像の撮影方式を特定する装置情報から縁配色情報８０を選択し、縁配色情報記憶部６３に記憶させる。
【００５２】
図７は、第２の具体例に係る画像表示装置１の画面１００の表示動作を示すフローチャートである。
【００５３】
まず、受信部９は、ネットワークＮに接続された画像診断装置Ｍから通信を確立するために装置情報を受信し（Ｓ２１）、続けて通信が確立すると画像診断装置ＭからネットワークＮを介して医用画像を受信する（Ｓ２２）。受信した医用画像は、医用画像記憶部５に記憶される（Ｓ２３）。
【００５４】
次に、縁配色設定部６４は、縁配色ライブラリ８に記憶されている縁配色情報テーブル８２から、受信した装置情報が表す撮影方式情報８３に対応する縁色ＩＤ８１を読み出し（Ｓ２４）、読み出した縁色ＩＤ８１に対応する縁配色情報８０を縁配色ライブラリ８から読み出す（Ｓ２５）。
【００５５】
そして、縁配色設定部６４は、縁配色ライブラリ８から読み出した縁配色情報８０を縁配色情報記憶部６３に記憶させる（Ｓ２６）。
【００５６】
画面作成部７は、医用画像１１０とダイアログボックス情報とアイコン画像１２１を読み出し（Ｓ２７）、さらに、縁配色設定部６４が撮影方式を表す装置情報に基づき設定した縁配色情報８０を縁配色情報記憶部６３から読み出す（Ｓ２８）。
【００５７】
そして、画面作成部７は、医用画像１１０、ダイアログボックス情報に応じた領域にアイコン画像１２１を配置したダイアログボックス画像１２０を予め用意されているテンプレートに配置することで、画面１００を作成する（Ｓ２９）。さらに、縁取り処理部７１は、ダイアログボックス画像１２０の縁１２２を、読み出した縁配色情報８０が示す色で塗り潰す（Ｓ３０）。
【００５８】
画面作成部７は、画面１００の生成が終了すると、表示部２に出力することで、医用画像１１０とダイアログボックス画像１２０を配置した画面１００を表示部２に表示させる（Ｓ３１）。
【００５９】
このように画像表示装置１では、医用画像１１０を送信してきた画像診断装置Ｍの撮影方式を装置情報から特定することによっても、医用画像１１０の撮影方式に応じた縁配色情報８０でダイアログボックス画像１２０の縁１２２を縁取ることができる。
【００６０】
次に、医用画像に付帯している撮影した画像診断装置Ｍの機種を示すモダリティ情報に応じて医用画像１１０の撮影方式に対応した縁配色情報８０でダイアログボックス画像１２０の縁１２２を縁取る第３の具体例を図８及び図９に基づき説明する。
【００６１】
図８は、第３の具体例に係る画像表示装置１のさらに詳細な構成を示すブロック図である。第１の具体例の画像表示装置１と同一構成又は同一機能には、同一符号を付し、その詳細な説明を省略する。
【００６２】
第３の具体例に係る画像表示装置１では、縁配色設定部６４は、医用画像記憶部５から医用画像１１０の撮影方式を認識する情報を取得する。医用画像１１０には、被検体の画像を示す画像データの他に、タグと情報を対にしたエレメントが複数付帯する。縁配色設定部６４は、エレメントのうち、モダリティ情報を取得する。モダリティ情報は、付帯する医用画像１１０を撮影した画像診断装置Ｍの種類を識別する情報である。例えば、モダリティ情報は、Ｘ線ＣＴ装置であることを示すデータ列や、超音波診断装置であることを示すデータ列である。モダリティ情報に対して一の撮影方式が定まるため、このモダリティ情報は、付帯した医用画像の撮影方式を特定する情報となる。
【００６３】
縁配色情報テーブル８２には、撮影方式情報８３として、撮影方式を一意に特定するモダリティ情報が記憶され、このモダリティ情報と縁色ＩＤ８１とが対応付けられている。縁配色設定部６４は、付帯した医用画像の撮影方式を特定するモダリティ情報から縁配色情報８０を選択し、縁配色情報記憶部６３に記憶させる。
【００６４】
図９は、第３の具体例に係る画像表示装置１の画面１００の表示動作を示すフローチャートである。
【００６５】
まず、縁配色設定部６４は、医用画像記憶部５に記憶されている医用画像に付帯しているモダリティ情報を読み出す（Ｓ４１）。
【００６６】
次に、縁配色設定部６４は、縁配色ライブラリ８に記憶されている縁配色情報テーブル８２から、読み出したモダリティ情報が表す撮影方式情報８３に対応する縁色ＩＤ８１を読み出し（Ｓ４２）、読み出した縁色ＩＤ８１に対応する縁配色情報８０を縁配色ライブラリ８から読み出す（Ｓ４３）。そして、縁配色設定部６４は、縁配色ライブラリ８から読み出した縁配色情報８０を縁配色情報記憶部６３に記憶させる（Ｓ４４）。
【００６７】
画面作成部７は、医用画像１１０とダイアログボックス情報とアイコン画像１２１を読み出し（Ｓ４５）、さらに、縁配色設定部６４が撮影方式を表す装置情報に基づき設定した縁配色情報８０を縁配色情報記憶部６３から読み出す（Ｓ４６）。
【００６８】
そして、画面作成部７は、医用画像１１０、ダイアログボックス情報に応じた領域にアイコン画像１２１を配置したダイアログボックス画像１２０を予め用意されているテンプレートに配置することで、画面１００を作成する（Ｓ４７）。さらに、縁取り処理部７１は、ダイアログボックス画像１２０の縁１２２を、読み出した縁配色情報８０が示す色で塗り潰す（Ｓ４８）。
【００６９】
画面作成部７は、画面１００の生成が終了すると、表示部２に出力することで、医用画像１１０とダイアログボックス画像１２０を配置した画面１００を表示部２に表示させる（Ｓ４９）。
【００７０】
このように画像表示装置１では、表示しようとしている医用画像１１０の撮影方式をこの医用画像１１０に付帯しているモダリティ情報から特定することによっても、医用画像１１０の撮影方式に応じた縁配色情報８０でダイアログボックス画像１２０の縁１２２を縁取ることができる。
【００７１】
以上の第１の実施形態に係る第１乃至第３の具体例によると、医用画像は、撮影方式によって特有の色合いを有するが、どの撮影方式の医用画像を表示させても、ダイアログボックス画像１２０と医用画像１１０とが、視覚上、明確に差別化できる。従って、医用画像１１０の操作をしているのか、ダイアログボックス画像１２０内のアイコン画像１２１を操作しているのかを明確に判断することができ、集中力を欠くことがなく、作業効率が向上する。
【００７２】
（第２の実施形態）
次に、第２の実施形態に係る画像表示装置１について説明する。図１０は、この第２の実施形態に係る画像表示装置１の構成を示すブロック図である。図１１は、第２の実施形態に係る画像表示装置１によって表示される画面１００を示す図である。
【００７３】
第２の実施形態に係る画像表示装置１は、図１１に示すように、第１の実施形態の態様における医用画像１１０の撮影方式に応じた配色でダイアログボックス画像１２０の縁１２２を縁取る態様に加えて、ダイアログボックス画像１２０と医用画像１１０とが重なると、重なり領域ｏｐの縁１２２に存在する重なり部分１２３にさらに異なる縁取りを行うものである。
【００７４】
この縁１２２の重なり部分１２３には、医用画像１１０の重なり領域ｏｐが有する色合いとは異なった色が選択される。医用画像１１０は、例えば、血流速度の計測結果を医用画像１１０に色づけを行うこと等の加工処理が行われることがある。この色づけ等の後の加工処理によって、医用画像１１０の重なり領域ｏｐの色合いが本来の撮影方式に応じた色合いと変わった場合、この色合いの変化に対応して明確な差を有する縁取りを行うことができる。
【００７５】
例えば、医用画像１１０が超音波画像である場合、医用画像１１０内に血流速度をカラーで表すＲＯＩが設定され、このＲＯＩとダイアログボックス画像１２０が重なると、超音波画像に対応した縁１２２の配色は、縁１２２の重なり部分１２３においてＲＯＩ内の色と必ずしも明確な差が生じない場合がある。そのため、縁１２２の重なり部分１２３をこのＲＯＩが含まれた重なり領域ｏｐの色合いと明確な差を有する色に変化させる。
【００７６】
この画像表示装置１の部品格納部６は、図１０に示すように、更に表示位置算出部６５と重なり検出部６６と重なり部分配色情報作成部６７と重なり部分縁取り情報記憶部６８とを有する。
【００７７】
これら部品格納部６の更なる構成は、ダイアログボックス画像１２０の表示位置の移動操作に応じて、移動先におけるダイアログボックス画像１２０と医用画像１１０との重なりを検出し、検出された重なり領域ｏｐのダイアログボックス画像１２０の移動前の色合いに基づき、この色合いと最も遠い色合いを示す重なり部分配色情報を作成して、縁１２２の重なり部分１２３をこの重なり部分配色情報が示す色で塗り潰す。
【００７８】
表示位置算出部６５は、ダイアログボックス画像１２０の表示位置を算出する。操作部３を用いたダイアログボックス画像１２０のドラッグアンドドロップ操作をトリガとして表示位置を算出する。詳しくは、ダイアログボックス画像１２０の移動量を示すベクトル量（ｘ，ｙ）を移動元の表示位置の基準となる座標Ｄを示す値に加算する。この加算により得た座標は、移動後における新たな基準情報となる。
【００７９】
重なり検出部６６は、ダイアログボックス画像１２０と医用画像１１０の重なりを検出し、重なり領域ｏｐの範囲情報を重なり部分縁取り情報記憶部６８に記憶させる。
【００８０】
図１２は、この重なり検出部６６が重なりを検出する態様を示す模式図である。
【００８１】
重なり検出部６６は、表示位置算出部６５が算出した移動後のダイアログボックス画像１２０の基準情報が示す座標Ｄと、ダイアログボックス情報を含まれるダイアログボックス画像１２０の幅Ｗ及び高さＨとから、ダイアログボックス画像１２０が表示されている座標範囲を算出する。
【００８２】
そして、重なり検出部６６は、ダイアログボックス画像１２０の移動前の画面１００の描画データを、画面作成部７から取得し、ダイアログボックス画像１２０が表示されている座標範囲内を順に走査していき、ダイアログボックス画像１２０が移動する前の画素の画素値と、予め記憶している閾値とを比較する。比較の結果、閾値を上回った画素値を有する画素群の座標範囲を、重なり領域ｏｐの範囲情報とする。閾値は、医用画像１１０が一般的に有する階調値の範囲と画面の背景が有する階調値の境界値が選択されており、閾値を上回る画素値を有する画素は、医用画像１１０を構成する画素である。
【００８３】
重なり部分配色情報作成部６７は、重なり領域ｏｐの色合いから、縁１２２の重なり部分１２３の重なり部分配色情報を作成し、重なり部分縁取り情報記憶部６８に記憶させる。重なり部分配色情報は、ダイアログボックス画像１２０の縁１２２を縁取る色、即ち縁配色情報記憶部６３に記憶されている縁配色情報８０に基づき作成される。重なり部分配色情報作成部６７は、重なり領域ｏｐのヒストグラムを作成し、このヒストグラムに基づき、縁配色情報８０を構成するＲ（レッド）Ｇ（グリーン）Ｂ（ブルー）各成分の値の何れを変更するか決定し、さらにこのヒストグラムに基づき、その変更後の値を決定する。そして、変更後の値と変更した成分の値とを入れ換えた重なり部分配色情報を作成し、重なり部分縁取り情報記憶部６８に、重なり領域ｏｐの範囲情報とともに記憶させる。
【００８４】
図１３は、重なり領域ｏｐのヒストグラムを示す模式図である。
【００８５】
重なり部分配色情報作成部６７は、重なり領域ｏｐのヒストグラムをＲＧＢの各色について作成する。ヒストグラムは、階調値ごとの画素数を積み上げたグラフである。
【００８６】
重なり部分配色情報作成部６７は、ＲＧＢ全成分のヒストグラムから、最大の画素数を有する階調値を探索し、その最大の画素数を有する階調値を有する色成分を、変更する色成分とする。例えば、Ｒ成分では、「２００」という階調値を有する画素数がピーク値であり、Ｇ成分では、「１５０」という階調値を有する画素数がピーク値であり、Ｒ成分では、「１００」という階調値を有する画素数がピーク値であるものとする。さらに、Ｒ成分のピーク値は、「１００」、Ｇ成分のピーク値は、「７０」、Ｂ成分のピーク値は、「５０」であるものとする。このとき、ＲＧＢ全成分のうち、Ｒ成分の「２００」という階調値を有する画素数が「１００」という最大値をとるため、重なり部分配色情報作成部６７は、縁配色情報記憶部６３に記憶されている縁配色情報８０とＲ成分が異なる重なり部分配色情報を作成することに決定する。
【００８７】
重なり部分配色情報作成部６７は、所定の階調値を示す変更値ポイントｃｐを予め複数記憶している。各変更値ポイントｃｐは、それぞれ異なる値を有する。例えば、重なり部分配色情報作成部６７は、「０」、「５０」、「１００」、「１５０」、「２００」、「２５５」という階調値を示す各変更値ポイントｃｐを予め記憶している。また、重なり部分配色情報作成部６７は、階調値を並べた軸上の所定範囲を示す範囲値ｓｐを予め記憶している。例えば、範囲値ｓｐは、「１００」という値を有する。
【００８８】
この変更値ポイントｃｐと範囲値ｓｐを記憶している重なり部分配色情報作成部６７は、変更する色成分のピーク値に対応する階調値から、範囲値ｓｐ以内にあり、かつこの階調値から最も離れた値を有する変更値ポイントｃｐの示す階調値を、変更する色成分の画素値とする。
【００８９】
そして、重なり部分配色情報作成部６７は、縁配色情報８０からこの得られた階調値を変更する色成分に含んだ重なり部分配色情報を作成する。
【００９０】
図１４は、縁配色情報８０から重なり部分配色情報を作成する態様を示す図である。重なり部分配色情報作成部６７は、縁配色情報８０の変更する色成分の画素値を、範囲値ｓｐ以内にあり、かつこの階調値から最も離れた値を有する変更値ポイントｃｐの示す階調値に対応する画素値に代えた重なり部分配色情報を作成する。即ち、縁配色情報８０と重なり部分配色情報とは、変更する色成分以外の他の色成分は同一の画素値を有する。
【００９１】
例えば、変更する色成分がＲ成分であり、ピーク値を有する階調値が「２００」であれば、「１００」という階調値を有する変更値ポイントｃｐが、範囲値ｓｐ以内にあり、かつこの階調値から最も離れた値であるため、Ｒ成分が「１００」という画素値を有し、他のＧ成分及びＢ成分が縁配色情報８０と同一の重なり部分配色情報が作成される。
【００９２】
画面作成部７の縁取り処理部７１は、ダイアログボックス画像１２０の縁１２２に医用画像１１０の撮影方式に応じた縁取りを行うとともに、縁１２２の重なり部分１２３をさらに異なる色で縁取る。この縁取り処理部７１は、重なり部分縁取り情報記憶部６８から重なり領域ｏｐの範囲情報と、重なり部分配色情報とを読み取り、ダイアログボックス画像１２０を構成する各画素のうち、範囲情報に含まれる画素とその隣接する画素とを、重なり配色情報が示す色に塗り潰す。範囲情報に含まれる画素とその隣接する画素としたのは、縁１２２の重なり部分１２３を一定の太さで塗り潰すためである。
【００９３】
この縁取り処理部７１の重なり部分１２３の縁取り処理により、縁１２２の医用画像１１０と重なった重なり部分１２３が更に異なる色で縁取られたダイアログボックス画像１２０が表示部２の画面１００に表示される。
【００９４】
図１５は、このような第２の実施形態に係る画像表示装置１の重なり部分１２３の更なる縁取り動作を示すフローチャートである。
【００９５】
まず、部品格納部６は、ダイアログボックス画像１２０の縁１２２の全周囲を、医用画像１１０の撮影方式に応じた縁配色情報８０が示す色で塗り潰す（Ｓ５１）。そして、部品格納部６は、操作部３を用いてダイアログボックス画像１２０の表示位置が変更されるまで待機し（Ｓ５２，Ｎｏ）、ダイアログボックス画像１２０の表示位置が変更されると（Ｓ５２，Ｙｅｓ）、表示位置算出部６５は、新たな表示位置の基準を算出して新たな基準情報とする（Ｓ５３）。
【００９６】
新たな基準情報が得られると、重なり検出部６６は、新たな基準情報を基準としてダイアログボックス情報が示す幅及び高さで示される範囲の各画素値と閾値とを比較し（Ｓ５４）、閾値を上回った画素値を有する画素群の座標範囲を、重なり領域ｏｐの範囲情報として、重なり部分縁取り情報記憶部６８に記憶させる（Ｓ５５）。
【００９７】
重なり領域ｏｐの範囲情報が得られると、重なり部分配色情報作成部６７は、ダイアログボックス画像１２０が移動してくる前の重なり領域ｏｐに相当する領域のＲＧＢ各成分におけるヒストグラムを作成する（Ｓ５６）。そして、重なり部分配色情報作成部６７は、ＲＧＢ全成分のヒストグラムから、最大の画素数を有する階調値と、その階調値が属する色成分を探索する（Ｓ５７）。該当の階調値が探索されると、重なり部分配色情報作成部６７は、予め定められた範囲値ｓｐと各変更値ポイントｃｐを読み出し、該当の階調値を基準に範囲値ｓｐ内にあり、かつ該当の階調値と最も離れた変更値ポイントｃｐを探索する（Ｓ５８）。
【００９８】
該当の変更値ポイントｃｐが探索されると、重なり部分配色情報作成部６７は、縁配色情報記憶部６３から縁配色情報８０を読み出す（Ｓ５９）。そして、重なり部分配色情報作成部６７は、読み出した縁配色情報８０のＳ５７で探索された色成分が、該当の変更値ポイントｃｐが示す階調値に変更されたデータに相当する重なり部分配色情報を作成し（Ｓ６０）、縁配色情報記憶部６３とは別の重なり部分縁取り情報記憶部６８に記憶させる（Ｓ６１）。
【００９９】
画面作成部７の縁取り処理部７１は、Ｓ５１〜Ｓ６１の処理が終了すると、重なり部分縁取り情報記憶部６８から、重なり領域ｏｐの範囲情報と、重なり部分配色情報を読み出し（Ｓ６２）、ダイアログボックス画像１２０を構成する画素のうち、重なり領域ｏｐの範囲情報に含まれる各画素を、重なり部分配色情報が示す色で塗り潰す（Ｓ６３）。
【０１００】
この第２の実施形態に係る画像表示装置１によると、ダイアログボックス画像１２０の縁１２２のうち、医用画像１１０と重なる部分については、その重なり領域ｏｐの色合いとは異なる色で更に縁取りがなされるため、医用画像１１０の重なり領域ｏｐの色合いが本来の撮影方式に応じた色合いと変わった場合であっても、ダイアログボックス画像１２０と医用画像１１０とが区別できる。従って、医用画像１１０の操作をしているのか、ダイアログボックス画像１２０内のアイコン画像１２１を操作しているのかが更に明確に判断することができ、集中力を欠くことがなく、作業効率が向上する。
【０１０１】
尚、この第２の実施形態に係る画像表示装置１では、範囲値ｓｐを予め記憶し、その範囲内にあり、かつ最も差を有する変更ポイントｃｐの階調値を変更する色に定めたが、この範囲値ｓｐの制限なく、最も差を有する変更ポイントｃｐの階調値を変更する色に定めてもよい。
【０１０２】
また、第１及び第２の実施形態においては、画像表示装置１を具体例として説明したが、この画像表示装置１と同一の構成を画像診断装置Ｍに備えるようにしてもよい。
【０１０３】
図１６は、他の実施形態に係る画像診断装置Ｍの構成を示すブロック図である。画像診断装置Ｍは、表示部２と操作部３と表示制御部４と受信部９と撮影部１０とを有する。この画像診断装置Ｍは、例えば、Ｘ線ＣＴ装置、Ｘ線診断装置、超音波診断装置、磁気共鳴画像撮影装置、又は核医学診断装置である。
【０１０４】
撮影部１０は、被検体を撮影して医用画像１１０を作成する。作成した医用画像１１０は、医用画像記憶部５に記憶させる。この撮影部１０で撮影された医用画像１１０がダイアログボックス画像１２０とともに表示制御部４により画面１００に表示される。
【０１０５】
画像診断装置Ｍに画像表示装置１と同一構成を備えた場合、医用画像１１０の撮影方式は、定まっているため、縁配色ライブラリ８と縁配色設定部６４を排し、予め縁配色情報記憶部６３に縁配色情報８０を記憶させることができる。そして、ダイアログボックス画像１２０を医用画像１１０上に移動させた場合、第２の実施形態に係る部品格納部６により、ダイアログボックス画像１２０の縁１２２の重なり領域ｏｐの部分を、撮影部１０で作成した医用画像の重なり領域ｏｐの色とは異なる色でさらに縁取りする。
【０１０６】
また、第１及び第２の実施形態に係る画像表示装置１又はこれと同一構成を含む画像診断装置Ｍは、具体的には、各構成の専用回路で実現してもよいし、画像表示装置１又は画像診断装置Ｍを所謂コンピュータとし、又はコンピュータを搭載するようにし、制御プログラムを実行させることで実現してもよい。
【０１０７】
コンピュータは、ＣＰＵ等の演算制御装置と、ＲＡＭ等の主記憶装置と、ＲＯＭやＨＤＤ等の外部記憶装置を有し、外部記憶装置に記憶された制御プログラムを適宜、主記憶装置に展開し、演算制御装置で解読及び実行する装置である。
【０１０８】
図１７は、制御プログラムの構成を示す模式図である。制御プログラムは、例えば、ＯＳ２００とミドルウェア２０１とライブラリ２０２とアプリケーション２０３とで構成することができる。一例を挙げると、表示制御部４のうち、アプリケーション２０３により、コンピュータを医用画像記憶部５と画面作成部７として機能させ、ミドルウェア２０１によりコンピュータを部品格納部６として機能させ、ライブラリ２０２により、コンピュータを縁配色ライブラリ８として機能させる。そして、このＯＳ２００とミドルウェア２０１とライブラリ２０２とアプリケーション２０３をそれぞれ適宜解読及び実行することにより、コンピュータは、表示制御部４として機能する。
【図面の簡単な説明】
【０１０９】
【図１】第１の実施形態に係る画像表示装置の構成を示すブロック図である。
【図２】画像表示装置が表示する画面を示す模式図である。
【図３】縁配色情報を示すデータ構成図である。
【図４】縁配色情報テーブルを示すデータ構成図である。
【図５】第１の具体例に係る画像表示装置の画面の表示の動作を示すフローチャートである。
【図６】第２の具体例に係る画像表示装置のさらに詳細な構成を示すブロック図である。
【図７】第２の具体例に係る画像表示装置の画面の表示動作を示すフローチャートである。
【図８】第３の具体例に係る画像表示装置のさらに詳細な構成を示すブロック図である。
【図９】第３の具体例に係る画像表示装置の画面の表示動作を示すフローチャートである。
【図１０】第２の実施形態に係る画像表示装置の構成を示すブロック図である。
【図１１】第２の実施形態に係る画像表示装置によって表示される画面を示す図である。
【図１２】重なりを検出する態様を示す模式図である。
【図１３】重なり領域のヒストグラムを示す模式図である。
【図１４】縁配色情報から重なり部分配色情報を作成する態様を示す図である。
【図１５】第２の実施形態に係る画像表示装置の重なり部分の更なる縁取り動作を示すフローチャートである。
【図１６】他の実施形態に係る画像診断装置の構成を示すブロック図である。
【図１７】制御プログラムの構成を示す模式図である。
【符号の説明】
【０１１０】
１      画像表示装置
２      表示部
３      操作部
４      表示制御部
５      医用画像記憶部
６      部品格納部
６１    ダイアログボックス情報記憶部
６２    アイコン画像記憶部
６３    縁配色情報記憶部
６４    縁配色設定部
６５    表示位置算出部
６６    重なり検出部
６７    重なり部分配色情報作成部
６８    重なり部分縁取り情報記憶部
７      画面作成部
７１    縁取り処理部
８      縁配色ライブラリ
８０    縁配色情報
８１    縁色ＩＤ
８２    縁配色情報テーブル
８３    撮影方式情報
９    受信部
１０  撮影部
１００  画面
１１０  医用画像
１２０  ダイアログボックス画像
１２１  アイコン画像
１２２  縁
１２３  重なり部分
２００  ＯＳ
２０１  ミドルウェア
２０２  ライブラリ
２０３  アプリケーション
ｏｐ    重なり領域
ｃｐ    変更値ポイント
ｓｐ    範囲値
Ｍ      画像診断装置
Ｎ      ネットワーク
【図１】
2009136505.tif 000003
【図３】
2009136505.tif 000004
【図４】
2009136505.tif 000005
【図５】
2009136505.tif 000006
【図６】
2009136505.tif 000007
【図７】
2009136505.tif 000008
【図８】
2009136505.tif 000009
【図９】
2009136505.tif 000010
【図１０】
2009136505.tif 000011
【図１４】
2009136505.tif 000012
【図１５】
2009136505.tif 000013
【図１６】
2009136505.tif 000014
【図１７】
2009136505.tif 000015
【図２】
2009136505.tif 000016
【図１１】
2009136505.tif 000017
【図１２】
2009136505.tif 000018
【図１３】
2009136505.tif 000019